(57)【特許請求の範囲】
【請求項１】
透液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する開孔が、前記前後胴周り域と前記股下域とのうちの少なくとも該股下域に形成され、前記開孔を被覆する不透液性の大便保持シートが、前記裏面シートの外面に取り付けられた使い捨て着用物品において、
前記保持シートが、前記裏面シートに非固着の中央伸縮部と、前記伸縮部の外側に位置して前記裏面シートに固着された外周縁部とを有し、前記伸縮部には、その中心部分から前記外周縁部へ向かって波状に起伏し、かつ、回帰線状に延びる多数の襞が形成されており、
前記襞が、実質的に環状を呈し、前記襞の曲率半径が、前記前胴周り域の側と前記後胴周り域の側とのうちのいずれか一方において大きいことを特徴とする前記着用物品。
【請求項２】
液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する開孔が、前記前後胴周り域と前記股下域とのうちの少なくとも該股下域に形成され、前記開孔を被覆する不透液性の大便保持シートが、前記裏面シートの外面に取り付けられた使い捨て着用物品において、
前記保持シートが、前記裏面シートに非固着の中央伸縮部と、前記伸縮部の外側に位置して前記裏面シートに固着された外周縁部とを有し、前記伸縮部には、その中心部分から前記外周縁部へ向かって波状に起伏し、かつ、回帰線状に延びる多数の襞が形成されており、
前記襞が、実質的に環状を呈し、隣り合う前記襞どうしの離間寸法が、前記前胴周り域の側と前記後胴周り域の側とのうちのいずれか一方において大きいことを特徴とする前記着用物品。
【請求項３】
前記襞が、実質的に環状を呈し、前記伸縮部の中心部分から前記外周縁部へ向かって同心状に並んでいる請求項１記載の着用物品。
【請求項４】
前記襞が、実質的に環状を呈し、前記襞の曲率半径が、前記前胴周り域の側と前記後胴周り域の側とのうちのいずれか一方において大きい請求項２に記載の着用物品。
【発明の詳細な説明】
【０００１】
【発明の属する技術分野】
本発明は、排泄物を吸収、保持する使い捨て着用物品に関する。
【０００２】
【従来の技術】
実開平６−３４６１８号公報は、透液性表面シートと不透液性裏面シートとの間に吸液性コアが介在し、縦方向に前胴周り域および後胴周り域と、それら胴周り域の間に位置する股下域とを備え、表裏面シートとコアとをその厚み方向へ貫通する開孔が股下域に形成されており、開孔を被覆する透液性大便処理シートが表面シートの外面に配置され、開孔を被覆する不透液性摘持シートが裏面シートの外面に配置された開放型の使い捨ておむつを開示している。
【０００３】
このおむつでは、開孔に処理シートが陥入し、開孔において処理シートと摘持シートとが固着されている。摘持シートは、その外周縁部が裏面シートの外面に着脱可能に仮着されている。開孔では、処理シートと摘持シートとが大便を収容可能な凹部を形成している。このおむつは、凹部に大便を収容することができるので、大便が表面シートの外面を拡散することはなく、摘持シートを裏面シートの外側へ引っ張ることによって、大便を処理シートとともに開孔からおむつの外側に取り出すことができるという効果を有する。
【０００４】
【発明が解決しようとする課題】
前記公報に開示のおむつでは、凹部における大便収容容積が小さく、凹部に多量の大便を収容することができない。このおむつでは、その着用中に多量の大便が排泄されると、凹部に収容しきれない大便が表面シートの外面に残存し、大便が着用者の股間部に付着してしまう場合がある。
【０００５】
本発明の課題は、多量の大便が排泄されたとしても、大便が着用者の股間部に付着してしまうことがない使い捨て着用物品を提供することにある。
【０００６】
【課題を解決するための手段】
前記課題を解決するためのこの発明は、第１発明と第２発明とによって構成される。前記第１および第２発明の前提は、透液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する開孔が、前記前後胴周り域と前記股下域とのうちの少なくとも該股下域に形成され、前記開孔を被覆する不透液性の大便保持シートが、前記裏面シートの外面に取り付けられた使い捨て着用物品である。
【０００７】
前記前提における前記第１発明の特徴は、前記保持シートが、前記厚み方向へ伸縮可能であって前記裏面シートに非固着の中央伸縮部と、前記伸縮部の外側に位置して前記裏面シートに固着された外周縁部とを有し、前記伸縮部には、その中心部分から前記外周縁部へ向かって波状に起伏し、かつ、回帰線状に延びる多数の襞が形成されており、前記襞が、実質的に環状を呈し、前記襞の曲率半径が、前記前胴周り域の側と前記後胴周り域の側とのうちのいずれか一方において大きいことにある。
前記前提における前記第２発明の特徴は、前記保持シートが、前記厚み方向へ伸縮可能であって前記裏面シートに非固着の中央伸縮部と、前記伸縮部の外側に位置して前記裏面シートに固着された外周縁部とを有し、前記伸縮部には、その中心部分から前記外周縁部へ向かって波状に起伏し、かつ、回帰線状に延びる多数の襞が形成されており、前記襞が、実質的に環状を呈し、隣り合う前記襞どうしの離間寸法が、前記前胴周り域の側と前記後胴周り域の側とのうちのいずれか一方において大きいことにある。
【０００８】
本発明の実施の態様の一例としては、前記襞が、実質的に環状を呈し、前記伸縮部の中心部分から前記外周縁部へ向かって同心状に並んでいる。
【０００９】
本発明の実施の態様の他の一例としては、前記襞が、実質的に環状を呈し、前記襞の曲率半径が、前記前胴周り域の側と前記後胴周り域の側とのうちのいずれか一方において大きい。
【００１０】
【００１１】
【発明の実施の形態】
添付の図面を参照し、本発明にかかる使い捨て着用物品の詳細を開放型の使い捨ておむつを例として説明すると、以下のとおりである。
【００１２】
図１，２は、表面シート２の側から示すおむつ１Ａの部分破断斜視図と、裏面シート３の側から示すおむつ１Ａの斜視図とであり、図３は、図１のＡ−Ａ線端面図である。図１，２では、横方向を矢印Ｘ、縦方向を矢印Ｙで示し、厚み方向を矢印Ｚで示す。図３では、保持シートがおむつ１Ａの厚み方向下方へ伸長した状態を二点鎖線で示す。なお、表裏面シート２，３や保持シート１３、防漏シート１７の内面とは、コア４に対向する面をいい、それらシート２，３，１３，１７の外面とは、コア４に非対向の面をいう。
【００１３】
おむつ１Ａは、肌当接側に位置する透液性表面シート２と、肌非当接側に位置する不透液性裏面シート３と、表裏面シート２，３の間に介在してそれらシート２，３のうちの少なくとも一方の内面に固着された吸液性コア４とを主要な構成部材とする。おむつ１Ａは、それら部材の他に、裏面シート２の外面に位置する不透液性の大便保持シート１３と、表面シート２の外面に位置する不透液性の防漏シート１７とを有する。
【００１４】
おむつ１Ａは、縦方向に前胴周り域５および後胴周り域７と、それら胴周り域５，７の間に位置する股下域６とを備え、コア４の両端縁４ａの外側を横方向へ延びるエンドフラップ８と、コア４の両側縁４ｂの外側を縦方向へ延びるサイドフラップ９とを有する。おむつ１Ａは、サイドフラップ９が股下域６においておむつ１Ａの横方向内方へ向かって弧を画いており、その平面形状が実質的に砂時計型を呈する。
【００１５】
エンドフラップ８には、横方向へ延びる帯状の胴周り用弾性部材１０が伸長状態で取り付けられている。サイドフラップ９には、縦方向へ延びる複数条の脚周り用弾性部材１１が伸長状態で取り付けられている。
【００１６】
股下域６の横方向中央部には、表裏面シート２，３とコア４とをその厚み方向へ貫通する開孔１２が形成されている。開孔１２は、股下域６における後胴周り域７の側へ偏倚した位置に形成されている。開孔１２の周縁では、表面シート２と裏面シート３とが合掌状に重なり合った状態で、それらシート２，３の内面どうしが固着されている。
【００１７】
保持シート１３は、股下域６に配置されている。保持シート１３は、裏面シート３に非固着の中央伸縮部１４と、伸縮部１４の外側に位置して裏面シート３に固着された外周縁部１５とを有する。保持シート１３では、伸縮部１４の中心部分１４ａが開孔１２の直下に位置している。伸縮部１４には、その中心部分１４ａから外周縁部１５へ向かって波状に起伏する多数の襞１６が形成されている。それら襞１６は、真円状を呈し、伸縮部１４の中心部分１４ａから外周縁部１５へ向かって同心円状に並んでいる。それら襞１６は、伸縮部１４の中心部分１４ａから外周縁部１５へ向かってその円周が次第に大きくなっている。ここで襞１６とは、図３に示すように、伸縮部１４においておむつ１Ａの厚み方向上方へ向かって凸となる部位をいう。伸縮部１４は、襞１６が伸縮することにともなって、おむつ１Ａの厚み方向へ伸縮可能である。外周縁部１６では、保持シート１３の内面が裏面シート３の外面に固着されている。
【００１８】
防漏シート１７は、サイドフラップ９に位置し、股下域６から前後胴周り域５，７へ向かって縦方向へ延びている。防漏シート１７は、サイドフラップ９に固着されて縦方向へ延びる固定側部１８と、表面シート２の上方へ起立性向を有して縦方向へ延びる自由側部１９と、おむつ１Ａの横方向内方へ倒伏した状態で前後胴周り域５，７に固着された固定両端部２０とを有する。自由側部１９には、縦方向へ延びる伸縮性弾性部材２１が伸長状態で取り付けられている。弾性部材２１は、自由側部１９の一部に被覆されている。
【００１９】
後胴周り域７のサイドフラップ９には、横方向内方へ延びるテープファスナ２２が取り付けられている。テープファスナ２２では、その自由端部に粘着剤（図示せず）が塗布され、自由端部が粘着剤を介して後胴周り域７のサイドフラップ９に着脱可能に仮着されている。前胴周り域５における裏面シート３の外面には、テープファスナ２２を着脱可能に止着する横方向へ長い矩形のターゲットテープ２３が取り付けられている。テープファスナ２２とターゲットテープ２３とは、可撓性を有するプラスチックフィルムから形成されている。
【００２０】
おむつ１Ａを着用するには、後胴周り域７のサイドフラップ９を前胴周り域５のサイドフラップ９の外側に重ね合わせ、粘着剤を介してテープファスナ２２の自由端部をターゲットテープ２３に止着し、前胴周り域５と後胴周り域７とを連結する。前後胴周り域５，７が連結されたおむつ１Ａには、胴周り開口とその下方に一対の脚周り開口とが形成される（図示せず）。
【００２１】
おむつ１Ａでは、それに排泄された大便（図示せず）が開孔１２を通過して保持シート１３の内面に収容される。保持シート１３では、大便の質量によって襞１６が伸びるとともに、伸縮部１４が矢印Ｚ１で示すおむつ１Ａの厚み方向下方へ向かって伸びる。おむつ１Ａでは、図３に二点鎖線で示すように、保持シート１３に大便を収容可能な凹部２４が形成される。
【００２２】
おむつ１Ａでは、伸縮部１４がおむつ１Ａの厚み方向下方へ伸長することで、保持シート１３に凹部２４が形成されるので、保持シート１３における大便収容容積を大きくすることができ、多量の大便を保持シート１３の内面に収容することができる。おむつ１Ａでは、それに多量の大便が排泄されたとしても、大便が表面シート２の外面に残存することはなく、かつ、大便が表面シート２の外面を拡散することもないので、大便が着用者の股間部に付着してしまうことはない。大便が排泄される以前のおむつ１Ａでは、保持シート１３の伸縮部１４がおむつ１Ａの厚み方向下方へ伸長することはなく、保持シート１３に凹部２４が形成されることはない。
【００２３】
おむつ１Ａでは、それが表面シート２を内側にして縦方向へ湾曲すると、弾性部材２１が縦方向へ収縮して防漏シート１７の自由側部１９が表面シート２の上方へ起立する。おむつ１Ａでは、防漏シート１７の自由側部１９が大便や尿に対する障壁を形成するので、大便や尿が股下域６から漏れてしまうことを防ぐことができる。
【００２４】
エンドフラップ８では、コア４の両端縁４ａから表面シート２の端部２ａと裏面シート３の端部３ａとが縦方向外方へ延び、それらシート２，３の端部２ａ，３ａ内面どうしが互いに重なり合った状態で固着されている。防漏シート１７の固定両端部２０は、表面シート２の端部２ａ外面に固着されている。胴周り用弾性部材１０は、表面シート２の端部２ａと裏面シート３の端部３ａとの間に介在し、それらシート２，３の端部２ａ，３ａ内面に固着されている。
【００２５】
サイドフラップ９では、表面シート２の側部２ｂがコア４の両側縁４ｂから横方向外方へわずかに延び、側部２ｂからさらに横方向外方へ裏面シート３の側部３ｂと防漏シート１７の固定側部１８とが延びている。サイドフラップ９では、表面シート２の側部２ｂが裏面シート３の側部３ｂと防漏シート１７の固定側部１８との間に介在し、それらシート２，３，１７の側部２ｂ，３ｂ，１８どうしが互いに重なり合った状態で固着されている。脚周り用弾性部材１１は、裏面シート３の側部３ｂと防漏シート１７の固定側部１８との間に介在し、それらシート３，１７の側部３ｂ，１８内面に固着されている。
【００２６】
図４，５は、表面シート２の側から示す他の実施の形態のおむつ１Ｂの斜視図と、裏面シート３の側から示す図４のおむつ１Ｂの斜視図とであり、図６は、図４のＢ−Ｂ線端面図である。図４，５では、横方向を矢印Ｘ、縦方向を矢印Ｙで示し、厚み方向を矢印Ｚで示す。図６では、保持シート１３がおむつ１Ｂの厚み方向下方へ伸長した状態と、保持シート１３の外周縁部１５を裏面シート３の外面から剥がした状態とを二点鎖線で示す。
【００２７】
おむつ１Ｂは、透液性表面シート２と不透液性裏面シート３との間に吸液性コア４が介在し、股下域６に形成された開孔１２と不透液性の大便保持シート１３と不透液性の防漏シート１７とを有する点において図１のおむつ１Ａと同一である。このおむつ１Ｂが図１のそれと異なる点は、以下のとおりである。
【００２８】
保持シート１３では、中央伸縮部１４に形成された多数の襞１６が実質的に環状を呈し、後胴周り域７の側に位置するそれら襞１６の曲率半径が前胴周り域５の側に位置するそれら襞１６の曲率半径よりも大きい。ゆえに、保持シート１３では、後胴周り域７の側に位置する伸縮部１４（中心部分１４ａを除く）の厚み方向下方への伸長寸法が前胴周り域５の側に位置する伸縮部１４（中心部分１４ａを除く）の厚み方向下方への伸長寸法よりも大きい。
【００２９】
保持シート１３は、その外周縁部１５が裏面シート３の外面に剥離可能に固着されている。保持シート１３の外周縁部１５には、外周縁部１５を裏面シート３から剥がすときに利用する摘み部２５が形成されている。
【００３０】
おむつ１Ｂでは、図１のそれと同様に、開孔１２を通過した大便（図示せず）が保持シート１３の内面に収容される。おむつ１Ｂでは、それら襞１６が伸びることによって、伸縮部１４が矢印Ｚ１で示すおむつ１Ｂの厚み方向下方へ向かって伸び、保持シート１３に大便を収容可能な凹部２４が形成される。おむつ１Ｂでは、保持シート１３に凹部２４が形成されるので、保持シート１３における大便収容容積を大きくすることができ、多量の大便を保持シート１３の内面に収容することができる。おむつ１Ｂでは、大便が表面シート２の外面に残存することはなく、かつ、大便が表面シート２の外面を拡散することもないので、大便が着用者の股間部に付着してしまうことはない。
【００３１】
おむつ１Ｂでは、図６に二点鎖線で示すように、後胴周り域７の側における凹部２４の厚み方向の寸法Ｌ１が前胴周り域５の側における凹部２４の厚み方向の寸法Ｌ２よりも大きく、凹部２４の底（伸縮部１４の中心部分１４ａ）が前胴周り域５から後胴周り域７へ向かっておむつ１Ｂの厚み方向下方へ傾斜し、開孔１２の直下に位置していた凹部２４の底が開孔１２の直下から後胴周り域７の側へずれる。おむつ１Ｂでは、大便が凹部２４における後胴周り域７の側に偏倚した位置に納まるので、大便が開孔１２から覗くことはなく、大便を開孔１２から遠ざけることができる。
【００３２】
おむつ１Ｂでは、摘み部２５を指で摘持し、図６に二点鎖線で示すように、保持シート１３の外周縁部１５を裏面シート３から剥がすことで、保持シート１３をおむつ１Ｂから分離させることができ、大便が収容された保持シート１３をおむつ１Ｂとは別に廃棄することができる。また、このおむつ１Ｂでは、保持シート１３の外周縁部１５の一部を裏面シート３から剥がした後、保持シート１３から大便を便器に廃棄することができる。
【００３３】
このおむつ１Ｂでは、保持シート１３の外周縁部１５が裏面シート３の外面に着脱可能に取り付けられていてもよい。この場合では、保持シート１３の外周縁部１５と裏面シート３の外面とを粘着剤やメカニカルファスナを介して着脱可能に連結する。
【００３４】
図７，８は、表面シート２の側から示す他の実施の形態のおむつ１Ｃの斜視図と、裏面シート３の側から示す図７のおむつ１Ｃの斜視図とであり、図９は、図７のＣ−Ｃ線端面図である。図７，８では、横方向を矢印Ｘ、縦方向を矢印Ｙで示し、厚み方向を矢印Ｚで示す。図９では、保持シート１３がおむつ１Ｃの厚み方向下方へ伸長した状態を二点鎖線で示す。
【００３５】
おむつ１Ｃは、透液性表面シート２と不透液性裏面シート３との間に吸液性コア４が介在し、股下域６に形成された開孔１２と不透液性の大便保持シート１３と不透液性の防漏シート１７とを有する点において図１のおむつ１Ａと同一である。このおむつ１Ｃが図１のそれと異なる点は、以下のとおりである。
【００３６】
保持シート１３では、中央伸縮部１４に形成された多数の襞１６が実質的に環状を呈し、隣り合う襞１６どうしの離間寸法Ｌ３が前胴周り域５の側よりも後胴周り域７の側で大きい。ゆえに、保持シート１３では、後胴周り域７の側に位置する伸縮部１４（中心部分１４ａを除く）の厚み方向下方への伸長寸法が前胴周り域５の側に位置する伸縮部１４（中心部分１４ａを除く）の厚み方向下方への伸長寸法よりも大きい。
【００３７】
おむつ１Ｃでは、図１のそれと同様に、開孔１２を通過した大便（図示せず）が保持シート１３の内面に収容される。おむつ１Ｃでは、それら襞１６が伸びることによって、伸縮部１４が矢印Ｚ１で示すおむつ１Ｃの厚み方向下方へ向かって伸び、保持シート１３に大便を収容可能な凹部２４が形成される。おむつ１Ｃでは、保持シート１３に凹部２４が形成されるので、保持シート１３における大便収容容積を大きくすることができ、多量の便を保持シート１３の内面に収容することができる。おむつ１Ｃでは、大便が表面シート２の外面に残存することはなく、かつ、大便が表面シート２の外面を拡散することもないので、大便が着用者の股間部に付着してしまうことはない。
【００３８】
おむつ１Ｃでは、図９に二点鎖線で示すように、後胴周り域７の側における凹部２４の厚み方向の寸法Ｌ１が前胴周り域５の側における凹部２４の厚み方向の寸法Ｌ２よりも大きく、凹部２４の底（伸縮部１４の中心部分１４ａ）が前胴周り域５から後胴周り域７へ向かっておむつ１Ｃの厚み方向下方へ傾斜し、開孔１２の直下に位置していた凹部２４の底が開孔１２の直下から後胴周り域７の側へずれる。おむつ１Ｃでは、大便が凹部２４における後胴周り域７の側に偏倚した位置に納まるので、大便が開孔１２から覗くことはなく、大便を開孔１２から遠ざけることができる。
【００３９】
表面シート２には、親水性繊維不織布、多数の開孔を有する疎水性繊維不織布、微細な多数の開孔を有する透液性プラスチックフィルムのいずれかを使用することができる。裏面シート３や保持シート１３、防漏シート１７には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００４０】
裏面シート３や保持シート１３、防漏シート１７には、高い耐水性を有するメルトブローン法による繊維不織布を、高い強度と良好な柔軟性とを有するスパンボンド法による繊維不織布で挟んだ複合不織布を使用することもできる。
【００４１】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４２】
保持シート１３には、横方向と縦方向とヘ弾性的な伸縮性を有する伸縮性繊維不織布を使用することもできる。伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、保持シート１３には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００４３】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４４】
表裏面シート２，３の固着や保持シート１３の固着、防漏シート１７の固着、コア４の固着、弾性部材１０，１１，２１の固着には、ホットメルト型接着剤、または、ヒートシールやソニックシール等の熱による溶着手段を利用することができる。
【００４５】
それら図示のおむつ１Ａ，１Ｂ，１Ｃでは、開孔１２の大きさや形状について、特に限定はなく、開孔１２が股下域６のみならず、股下域６から前後胴周り域５，７にまで達していてもよい。また、それら図示のおむつ１Ａ，１Ｂ，１Ｃでは、開孔１２が２つ以上形成されていてもよい。開孔１２を２つ以上有するおむつでは、それら開孔１２が保持シート１３に被覆されていることが必要である。それら図示のおむつ１Ａ，１Ｂ，１Ｃでは、保持シート１３の大きさについて特に限定はなく、保持シート１３が股下域６から前後胴周り域６，７へ向かって延びていてもよい。
【００４６】
図４に示すおむつ１Ｂでは、保持シート１３の伸縮部１４に形成された多数の襞１６が実質的に環状を呈し、後胴周り域７の側に位置するそれら襞１６の曲率半径が前胴周り域５の側に位置するそれら襞１６の曲率半径より小さくてもよい。また、図７に示すおむつ１Ｃでは、保持シート１３の伸縮部１４に形成された多数の襞１６が実質的に環状を呈し、隣り合う襞１６どうしの離間寸法Ｌ３が前胴周り域５の側よりも後胴周り域７の側で小さくてもよい。
【００４７】
図４，７に示すおむつ１Ｂ，１Ｃでは、保持シート１３の伸縮部１４に形成された多数の襞１６が実質的に環状を呈し、後胴周り域５の側に位置するそれら襞１６の曲率半径が前胴周り域５の側に位置するそれら襞１６の曲率半径よりも大きく、かつ、隣り合う襞１６どうしの離間寸法Ｌ３が前胴周り域５の側よりも後胴周り域７の側で大きくてもよい。また、図４，７に示すおむつ１Ｂ，１Ｃでは、保持シート１３の伸縮部１４に形成された多数の襞１６が実質的に環状を呈し、後胴周り域７の側に位置するそれら襞１６の曲率半径が前胴周り域５の側に位置するそれら襞１６の曲率半径よりも小さく、かつ、隣り合う襞１６どうしの離間寸法Ｌ３が前胴周り域５の側よりも後胴周り域７の側で小さくてもよい。
【００４８】
図１，７に示すおむつ１Ａ，１Ｃでは、図４のそれと同様に、保持シート１３の外周縁部１５が裏面シート３の外面に剥離可能に固着されていてもよく、また、保持シート１３の外周縁部１５が裏面シート３の外面に着脱可能に取り付けられていてもよい。
【００４９】
この発明は、着用時に前後胴周り域５，７を連結する開放型のおむつ１Ａ，１Ｂ，１Ｃの他に、前後胴周り域のサイドフラップがあらかじめ連結されて胴周り開口と脚周り開口とが形成されたパンツ型のおむつにも実施することができる。
【００５０】
【発明の効果】
本発明にかかる使い捨て着用物品によれば、開孔を通過した大便が保持シートの内面に収容される。この物品では、大便の質量によって、保持シートの伸縮部が物品の厚み方向下方へ向かって伸長し、保持シートに大便を収容可能な凹部が形成される。この物品では、保持シートにおける大便収容容積を大きくすることができ、多量の大便を保持シートに収容することができる。この物品では、大便が表面シートの外面に残存することはなく、かつ、大便が表面シートの外面を拡散することもないので、大便が着用者の股間部に付着してしまうことはない。
【００５１】
保持シートの伸縮部に形成された多数の襞が実質的に環状を呈するとともに、それら襞の曲率半径が前胴周り域の側と後胴周り域の側とのうちのいずれか一方において大きく、他方において小さい物品では、伸縮部が物品の厚み方向下方へ向かって伸長することで、保持シートに大便を収容可能な凹部が形成されることはもちろんのこと、凹部の底（伸縮部の中心部分）が前胴周り域と後胴周り域とのうちのいずれか一方に向かっておむつの厚み方向下方へ傾斜し、凹部の底が開孔の直下から前後胴周り域のいずれかの側へずれる。この物品では、大便が凹部における前後胴周り域のいずれかの側に偏倚した位置に納まるので、大便が開孔から覗くことはなく、大便を開孔から遠ざけることができる。この物品は、大便が開孔から表面シートの外面に逆戻りすることはなく、着用者の股間部に対する大便の付着を確実に防ぐことができる。
【００５２】
保持シートの伸縮部に形成された多数の襞が実質的に環状を呈するとともに、隣り合う襞どうしの離間寸法が前胴周り域の側と後胴周り域の側とのうちのいずれか一方において大きく、他方において小さい物品では、伸縮部が物品の厚み方向下方へ向かって伸長することで、保持シートに大便を収容可能な凹部が形成されることはもちろんのこと、凹部の底（伸縮部の中心部分）が前胴周り域と後胴周り域とのうちのいずれか一方に向かっておむつの厚み方向下方へ傾斜し、凹部の底が開孔の直下から前後胴周り域のいずれかの側へずれる。この物品では、大便が凹部における前後胴周り域のいずれかの側に偏倚した位置に納まるので、大便が開孔から覗くことはなく、大便を開孔から遠ざけることができる。この物品は、大便が開孔から表面シートの外面に逆戻りすることはなく、着用者の股間部に対する大便の付着を確実に防ぐことができる。
【図面の簡単な説明】
【図１】  表面シートの側から示すおむつの部分破断斜視図。
【図２】  裏面シートの側から示すおむつの斜視図。
【図３】  図１のＡ−Ａ線端面図。
【図４】  表面シートの側から示す他の実施の形態のおむつの斜視図。
【図５】  裏面シートの側から示す図４のおむつの斜視図。
【図６】  図４のＢ−Ｂ線端面図。
【図７】  表面シートの側から示す他の実施の形態のおむつの斜視図。
【図８】  裏面シートの側から示す図７のおむつの斜視図。
【図９】  図７のＣ−Ｃ線端面図。
【符号の説明】
１Ａ          開放型の使い捨ておむつ
１Ｂ          開放型の使い捨ておむつ
１Ｃ          開放型の使い捨ておむつ
２            透液性表面シート
３            不透液性裏面シート
４            吸液性コア
６            前胴周り域
７            股下域
８            後胴周り域
１２            開孔
１３            大便保持シート
１４            中央伸縮部
１４ａ          中心部分
１５            外周縁部
１６            襞
Ｌ３            離間寸法
【図１】
0003798690.tif 000002
【図２】
0003798690.tif 000003
【図３】
0003798690.tif 000004
【図４】
0003798690.tif 000005
【図５】
0003798690.tif 000006
【図６】
0003798690.tif 000007
【図７】
0003798690.tif 000008
【図８】
0003798690.tif 000009
【図９】
0003798690.tif 000010